(57)【要約】      （修正有）【課題】コーヒーを淹れる際の蒸らしの時間や、抽出が行われる時間の調整を行うことが容易なドリッパ補助具を提供する。【解決手段】ドリッパ補助具は、コーヒーの蒸らしを行う際に湯が注がれる内側領域１ａと、コーヒーの抽出を行う際に湯が注がれる外側領域１ｂとが隔壁部２により隔離されており、内側領域１ａと、外側領域１ｂには、それぞれ内側孔３と、外側孔４が穿設されている。これにより、コーヒーの蒸らしを行う場合には内側領域１ａに湯を注ぎ、コーヒーの抽出を行う場合には外側領域１ｂに湯を注ぐことで、コーヒーの蒸らしを行う時間や、抽出を行う時間の調整を行うことが容易となる。【選択図】図３
0003231284.tif 000002
【実用新案登録請求の範囲】
【請求項１】
コーヒーの蒸らしを行う際に湯が注がれる内側領域と、
前記内側領域の外側に設けられ、コーヒーの抽出を行う際に湯が注がれる外側領域と、
前記内側領域と、前記外側領域とを隔離する隔壁部と、
前記内側領域に設けられた内側孔と、
前記外側領域に設けられた外側孔と、
を備えたことを特徴とするドリッパ補助具。
【請求項２】
前記内側領域と、前記外側領域とは、透過性を有することを特徴とする請求項１に記載のドリッパ補助具。
【請求項３】
前記内側孔の直径は、前記外側孔の直径よりも大きいことを特徴とする請求項１または請求項２に記載のドリッパ補助具。
【請求項４】
前記外側孔の数は、前記内側孔の数よりも多いことを特徴とする請求項１乃至請求項３に何れか記載のドリッパ補助具。
【考案の詳細な説明】
【技術分野】
【０００１】
本考案は、ドリッパ補助具に関するものである。
【背景技術】
【０００２】
従来では、コーヒーをドリップするドリッパを補助するドリッパ補助具が知られている（例えば、特許文献１）。このようなドリッパ補助具は、上室と下室により構成されており、上室に湯が注がれると下室に設けられた下室流出口を介して少量の湯が下方に流出する。そして、上室の湯の量の減少したときに作動するバネが設けられており、このバネが作動すると、下室の栓が開放し、残りの湯が流出することとなる。これにより、湯を一回注ぐだけで美味なコーヒーを抽出することができる。
【先行技術文献】
【特許文献】
【０００３】
【特許文献１】特開２００６−３０５２７４号公報
【考案の概要】
【考案が解決しようとする課題】
【０００４】
コーヒーの味の好みはコーヒーを淹れる人それぞれであり、コーヒーを淹れる人によって拘りがある。しかしながら、特許文献１に開示されているドリッパ補助具に対して一定量の湯が注がれた場合には、蒸らしが行われる時間と、抽出が行われる時間とがそれぞれ一定の時間となる。このため、コーヒーを淹れる際に、蒸らしを行う時間や、抽出を行う時間の調整を行うことが困難であった。
【０００５】
本考案は、このような問題点に鑑み、コーヒーを淹れる際に、蒸らしが行われる時間や、抽出を行う時間の調整を行うことが容易なドリッパ補助具を提供することを目的とする。
【課題を解決するための手段】
【０００６】
このような課題を解決するために、本考案に係るドリッパ補助具は、コーヒーの蒸らしを行う際に湯が注がれる内側領域と、前記内側領域の外側に設けられ、コーヒーの抽出を行う際に湯が注がれる外側領域と、前記内側領域と、前記外側領域とを隔離する隔壁部と、前記内側領域に設けられた内側孔と、前記外側領域に設けられた外側孔と、を備えたことを特徴とする。
【０００７】
また、本考案に係るドリッパ補助具において、前記内側領域と、前記外側領域とは、透過性を有することを特徴とする。
【０００８】
また、本考案に係るドリッパ補助具において、前記内側孔の直径は、前記外側孔の直径よりも大きいことを特徴とする。
【０００９】
また、本考案に係るドリッパ補助具において、前記外側孔の数は、前記内側孔の数よりも多いことを特徴とする。
【考案の効果】
【００１０】
本考案によれば、コーヒーを淹れる際に、蒸らしを行う時間や、抽出を行う時間の調整を行うことが容易なドリッパ補助具を提供することができる。
【図面の簡単な説明】
【００１１】
【図１】ドリッパ補助具の上面図である。
【図２】ドリッパ補助具の断面図である。
【図３】ドリッパ補助具の第１使用態様を示す図である。
【図４】ドリッパ補助具の第２使用態様を示す図である。
【考案を実施するための形態】
【００１２】
以下、本考案の実施形態について図面を参照しながら具体的に説明する。
【００１３】
（ドリッパ補助具１の上面図）
まず、図１を用いて、本考案におけるドリッパ補助具１の構成について具体的に説明を行う。
【００１４】
本考案におけるドリッパ補助具１は、耐久性に優れた樹脂（例えば、トライタン樹脂）からなり、透過性を有している。なお、本実施形態において、ドリッパ補助具１は、透明となっている。
【００１５】
また、ドリッパ補助具１は、コーヒーの蒸らしを行う際に湯が注がれる内側領域１ａが設けられている。また、内側領域１ａの外側には、コーヒーの抽出を行う際に湯が注がれる外側領域１ｂが設けられている。そして、内側領域１ａと、外側領域１ｂとは隔壁部２により隔離されている。
【００１６】
ここで、内側領域１ａの直径は、コーヒーの蒸らしを行う際に湯を注ぎ易い幅となっており、本実施形態では４０ｍｍとなっている。これにより、後述のケトル１１の注ぎ口が細口でなくても湯を注ぎ易くなっているので、コーヒーの蒸らしが行い易くなっている。なお、外側領域１ｂの幅は、コーヒーの抽出を行う際に湯を注ぎ易い幅となっている。
【００１７】
内側領域１ａには、コーヒーの蒸らしを行う際に注がれた湯が流出される直径３ｍｍの内側孔３が３個穿設されている。外側領域１ｂには、コーヒーの抽出を行う際に注がれた湯が流出される直径１．２ｍｍの外側孔４が１０個穿設されている。
【００１８】
ここで、外側孔４の直径を内側孔３の直径よりも大きくした場合、例えば、内側孔３の直径を１．２ｍｍとし、外側孔４の直径を３ｍｍとした場合には、コーヒーの抽出を行うときに外側孔４から流出する湯の流速が速くなってしまうため、後述の粉末コーヒー１０が湯に溶け難くなってしまうという問題が生じてしまう。
【００１９】
また、内側孔３の直径と、外側孔４の直径を同じ大きさにした場合、例えば、内側孔３の直径と、外側孔４の直径をそれぞれ１．２ｍｍとした場合には、内側領域１ａに湯が注がれたときに、内側孔３から流出する湯の水流が弱くなってしまい、適切な攪拌を行うことができないという問題が生じてしまう。
【００２０】
従って、これらのような問題が生じないようにするために、本実施形態における内側孔３の直径は外側孔４の直径よりも大きくなっている。これにより、外側領域１ｂに対して湯を注いだときに、外側孔４から流出する湯が後述の粉末コーヒー１０にかかり易くなるので、後述の粉末コーヒー１０が湯に溶け易くなる。また、内側領域１ａに対して湯を注いだときに、内側孔３から流出する湯の水流が弱くなってしまうことがないので、適切な攪拌を行うことができる。
【００２１】
また、本実施形態における外側孔４の数は、内側孔３の数よりも多くなっている。ここで、外側孔４の数を内側孔３の数よりも少なくした場合、例えば、外側孔４の数を３個とし、内側孔３の数を１０個とした場合には、外側領域１ｂに湯が注がれると、外側孔４から流出する湯が適切に流出しなくなってしまうという問題が生じてしまう。
【００２２】
従って、このような問題が生じないようにするために、本実施形態における外側孔４の数は、内側孔３の数よりも多く穿設されている。これにより、外側領域１ｂに湯が注がれたときに、外側孔４から湯を適切に流出させることができる。
【００２３】
（ドリッパ補助具１の断面図）
図２を用いて、本考案におけるドリッパ補助具１の断面図について説明を行う。なお、図２は、図１のドリッパ補助具１のＸ−Ｘ断面図である。
【００２４】
図２に示す通り、ドリッパ補助具１は、後述するドリッパＤに取り付けられたときにドリッパ補助具１（より具体的には、ドリッパ補助具１に収納された後述のペーパーフィルタ８）に当接する脚部５が設けられている。ここで、脚部５は内側に傾斜している。
【００２５】
図２に示す通り、内側領域１ａには内側傾斜部６が設けられている。ここで、内側傾斜部６の傾斜角度Ａ１は、内側領域１ａの幅に応じた角度となっている。なお、内側領域１ａに注がれた湯は、内側傾斜部６を伝って内側孔３に向かって流下することとなる。
【００２６】
また、外側領域１ｂには外側傾斜部７が設けられている。そして、外側領域１ｂに注がれた湯は、外側傾斜部７を伝って外側孔４に向かって流下することとなる。
【００２７】
ここで、外側傾斜部７の傾斜角度Ａ２は、内側傾斜部６の傾斜角度Ａ１よりも大きくなっている。すなわち、内側傾斜部６の傾斜は外側傾斜部７の傾斜よりも急となっている。これにより、内側孔３から流下する湯の流速を速くすることができるので、コーヒーの攪拌を行うのに必要な流速を担保することができる。
【００２８】
なお、本実施形態において隔壁部２の頂辺Ｔ１は、ドリッパ補助具１の頂辺Ｔ２よりも低い位置となっている。
【００２９】
（ドリッパ補助具１の第１使用態様）
図３を用いて、本考案におけるドリッパ補助具１の第１使用態様について説明を行う。
【００３０】
まず、図３（Ａ）に示す通り、コーヒーサーバ９の上にドリッパＤを載置する。そして、ドリッパＤの内部にペーパーフィルタ８を収納し、ペーパーフィルタ８の中に粉末コーヒー１０を入れる。
【００３１】
次に、図３（Ｂ）に示す通り、ドリッパＤに対してドリッパ補助具１を取り付ける。このとき、ドリッパ補助具１の脚部５と、ドリッパＤの内側（より具体的には、ペーパーフィルタ８の内側）とが当接する。
【００３２】
次に、図３（Ｃ）に示す通り、ケトル１１の中にある湯を内側領域１ａに注ぐ。そうすると、内側孔３から湯が流出し、ペーパーフィルタ８の中に湯が滞留した上で、ドリッパＤへと流下することとなる。これにより、コーヒーの蒸らしが行われることとなる。
【００３３】
ここで、ドリッパ補助具１は透過性を有していることから、内側領域１ａに湯を注いだときに、内側孔３から湯が流出する過程を視認することができるので、コーヒーを蒸らす工程において湯を注ぐ量の調整がし易くなる。
【００３４】
次に、図３（Ｄ）に示す通り、ケトル１１の中にある湯を外側領域１ｂに注ぐ。そうすると、外側孔４から湯が流出し、ペーパーフィルタ８の中に湯が滞留した上で、ドリッパＤへと流下することとなる。これにより、コーヒーの抽出が行われることとなる。
【００３５】
ここで、ドリッパ補助具１は透過性を有していることから、外側領域１ｂに湯を注いだときに、外側孔４から湯が流出する過程を視認することができるので、コーヒーを抽出する工程において湯を注ぐ量の調整がし易くなる。
【００３６】
このように、ドリッパ補助具１の第１使用態様では、内側領域１ａに湯を注いでコーヒーの蒸らしを行った後、外側領域１ｂに対して隔壁部２を越えないように湯を注いでコーヒーの抽出を行う。これにより、コーヒーを蒸らす工程や、コーヒーを抽出する工程を分けて行うことができるので、コーヒーを蒸らす時間と、コーヒーを抽出する時間の調整を行うことが容易なドリッパ補助具１を提供することができる。
【００３７】
（ドリッパ補助具１の第２使用態様）
図４を用いて、本考案におけるドリッパ補助具１の第２使用態様について説明を行う。
【００３８】
図３を用いて説明したドリッパ補助具１の第１使用態様では、外側領域１ｂに対して隔壁部２を越えないように湯を注ぐ使用態様を説明したが、本考案におけるドリッパ補助具１は、以下に説明する第２使用態様で使用することができる。
【００３９】
ドリッパ補助具１の第２使用態様においても、ケトル１１の中にある湯を内側領域１ａに注いで蒸らしを行うまでは第１使用態様と同様である。
【００４０】
そして、図４に示す通り、ドリッパ補助具１の第２使用態様では、隔壁部２の頂辺Ｔ１を水平に結ぶ許容ラインＬよりも多い湯が外側領域１ｂに注がれる。そうすると、隔壁部２を越えて内側領域１ａに湯が溢れる。これにより、外側領域１ｂに注がれた湯が隔壁部２を越えてコーヒーの抽出を行う際に内側孔３からも流出することとなるので、コーヒーを淹れるときのレシピの幅を広げることができる。
【００４１】
このように、本考案におけるドリッパ補助具１は、コーヒーの蒸らしを行う際に湯が注がれる内側領域１ａと、コーヒーの抽出を行う際に湯が注がれる外側領域１ｂとが隔壁部２により隔離されており、内側領域１ａと、外側領域１ｂには、それぞれ内側孔３と、外側孔４が穿設されている。これにより、コーヒーの蒸らしを行う場合には内側領域１ａに湯を注ぎ、コーヒーの抽出を行う場合には外側領域１ｂに湯を注ぐことで、コーヒーの蒸らしを行う時間や、抽出を行う時間の調整を行うことが容易なドリッパ補助具１を提供することができる。
【００４２】
（請求項１に係る考案）
請求項１に係る考案は、コーヒーの蒸らしを行う際に湯が注がれる内側領域（例えば、内側領域１ａ）と、前記内側領域の外側に設けられ、コーヒーの抽出を行う際に湯が注がれる外側領域（例えば、外側領域１ｂ）と、前記内側領域と、前記外側領域とを隔離する隔壁部（例えば、隔壁部２）と、前記内側領域に設けられた内側孔（例えば、内側孔３）と、前記外側領域に設けられた外側孔（例えば、外側孔４）と、を備えたことを特徴とするドリッパ補助具である。
【００４３】
（請求項２に係る考案）
請求項２に係る考案は、前記内側領域と、前記外側領域とは、透過性を有することを特徴とする請求項１に記載のドリッパ補助具である。
【００４４】
（請求項３に係る考案）
請求項３に係る考案において、前記内側孔の直径（例えば、３ｍｍ）は、前記外側孔の直径（例えば、１．２ｍｍ）よりも大きいことを特徴とする請求項１または請求項２に記載のドリッパ補助具である。
【００４５】
（請求項４に係る考案）
請求項４に係る考案において、前記外側孔の数（例えば、１０個）は、前記内側孔の数（例えば、３個）よりも多いことを特徴とする請求項１乃至請求項３に何れか記載のドリッパ補助具である。
【００４６】
なお、上記実施形態や変形例で示した事項は、あくまで一例に過ぎず、本考案の範囲を逸脱しない範囲で、適宜変更可能である。
【符号の説明】
【００４７】
１          ドリッパ補助具
１ａ        内側領域
１ｂ        外側領域
２          隔壁部
３          内側孔
４          外側孔
５          脚部
６          内側傾斜部
７          外側傾斜部
８          ペーパーフィルタ
９          コーヒーサーバ
１０        粉末コーヒー
１１        ケトル
Ｄ          ドリッパ
Ｔ１        隔壁部の頂辺
Ｔ２        ドリッパ補助具の頂辺
Ｌ          許容ライン
【図１】
0003231284.tif 000003
【図２】
0003231284.tif 000004
【図３】
0003231284.tif 000005
【図４】
0003231284.tif 000006